(57)【要約】【課題】斜め構図での撮影を行う場合に、被写体の傾斜の様子を表示可能とすることにより、撮影者が意図しない撮影が行われることを防止する。【解決手段】  撮影機器は、被写体を撮像する撮像部と、上記撮像部の光軸に対する上記撮像部の回転角度に関する情報を取得する姿勢判定部と、上記撮像部からの撮像画像を上記回転角度に基づいて回転させる回転制御部と、上記回転制御部によって回転された撮像画像を表示部に表示させる表示制御部とを具備する。【選択図】図１
2015204564.tif 000002
【特許請求の範囲】
【請求項１】
被写体を撮像する撮像部と、
上記撮像部の光軸に対する上記撮像部の回転角度に関する情報を取得する姿勢判定部と、
上記撮像部からの撮像画像を上記回転角度に基づいて回転させる回転制御部と、
上記回転制御部によって回転された撮像画像を表示部に表示させる表示制御部と
を具備したことを特徴する撮影機器。
【請求項２】
上記回転制御部は、上記回転角度の所定の範囲毎に、上記撮像画像を回転させる角度を決定する
ことを特徴する請求項１に記載の撮影機器。
【請求項３】
上記回転制御部は、上記回転角度に対する上記撮像画像を回転させる角度にヒステリシス特性を持たせる
ことを特徴する請求項１又は２に記載の撮影機器。
【請求項４】
上記回転制御部は、上記撮像画像を回転させて得た画像を上記表示部のサイズに応じて縮小する
ことを特徴する請求項１乃至３のいずれか１つに記載の撮影機器。
【請求項５】
上記回転制御部は、上記撮像画像を回転させて得た画像の一部を拡大して上記表示部に表示させる
ことを特徴する請求項１乃至３のいずれか１つに記載の撮影機器。
【請求項６】
上記回転制御部による上記撮像画像の回転を許可するか否かを、設定情報に基づいて切換える
ことを特徴する請求項１乃至５のいずれか１つに記載の撮影機器。
【請求項７】
上記設定情報は、撮影待機状態、ファーストレリーズ状態、レックビュー状態の少なくとも１つの状態毎に内容の変更が可能である。
ことを特徴する請求項６に記載の撮影機器。
【発明の詳細な説明】
【技術分野】
【０００１】
本発明は、斜め構図の撮影に好適な撮影機器に関する。
【背景技術】
【０００２】
近年、デジタルカメラなどの撮影機能付き携帯機器（撮影機器）が普及している。この種の撮影機器においては表示部を有して、撮影画像を表示する機能を有するものもある。更に、表示部にメニュー画面を表示して、撮影機器の操作を容易にしたものもある。
【０００３】
この種の撮影機器は、軽量化されてきており、撮影機器を手で頭上に構えて撮影を行うハイアングル撮影や足下側から撮影を行うローアングル撮影など、様々な構え方、構図での撮影が容易となっている。このような撮影機器で、例えば樹木やタワーなどの縦長（又は横長）の被写体を撮影する場合に、被写体が撮影範囲からはみ出さないように、撮影機器を斜めに構えて、撮像範囲の対角線方向に被写体を配置する構図（対角線構図）で撮影を行うことがある。なお、特許文献１には、撮像装置の傾きを検出して、傾きに対応した枠を表示する技術が開示されている。
【先行技術文献】
【特許文献】
【０００４】
特開２０１０−１８３３６４号公報
【発明の概要】
【発明が解決しようとする課題】
【０００５】
対角線構図等の斜め構図で撮影されたタワー等の縦長の被写体をプリントアウトして鑑賞する場合には、見ている人の向きに応じて写真の向きを変えられるので違和感は比較的小さい。しかしながら、斜め構図で撮影された撮像画像の画像データをコンピュータ等に取り込んでディスプレイ上に表示する場合には、ディスプレイ上では撮像画像は縦構図又は横構図で表示されるので、タワー等が傾斜して表示されることになり、違和感が生じる。
【０００６】
本発明は、斜め構図での撮影を行う場合に、被写体の傾斜の状態を表示可能とすることにより、撮影者が意図しない撮影が行われることを防止することができる撮影機器を提供することを目的とする。
【課題を解決するための手段】
【０００７】
本発明に係る撮影機器は、被写体を撮像する撮像部と、上記撮像部の光軸に対する上記撮像部の回転角度に関する情報を取得する姿勢判定部と、上記撮像部からの撮像画像を上記回転角度に基づいて回転させる回転制御部と、上記回転制御部によって回転された撮像画像を表示部に表示させる表示制御部とを具備する。
【発明の効果】
【０００８】
本発明によれば、斜め構図での撮影を行う場合に、被写体の傾斜の状態を表示可能とすることにより、撮影者が意図しない撮影が行われることを防止することができるという効果を有する。
【図面の簡単な説明】
【０００９】
【図１】本発明の一実施の形態に係る撮影機器の回路構成を示すブロック図。
【図２】被写体回転表示モードにおける被写体回転画像を説明するための説明図。
【図３】被写体回転画像の回転角度を説明するための説明図。
【図４】被写体回転表示モード中における設定を説明するための説明図。
【図５】実施の形態の動作を説明するためのフローチャート。
【発明を実施するための形態】
【００１０】
以下、図面を参照して本発明の実施の形態について詳細に説明する。
【００１１】
図１は本発明の一実施の形態に係る撮影機器の回路構成を示すブロック図である。
【００１２】
撮影機器を構成するカメラ部本体２０には、交換式レンズ１０が着脱自在に取り付けられている。交換式レンズ１０は、レンズ１２を有しており、レンズ１２は被写体からの光学像を絞り１３を介してカメラ部本体２０に導く。レンズ１２としては、フォーカス機能を有していてもよく、また、ズーム機能を有していてもよい。ドライバ１４は、レンズ制御部１５に制御されて、フォーカスレンズやズームレンズを駆動すると共に、絞り１３を駆動することができるようになっている。
【００１３】
レンズ制御部１５は、Ｉ／Ｆ２１を介してカメラ部本体２０の制御部２７との間で情報の送受を行う。レンズ制御部１５は、カメラ部本体２０の制御部２７との間の通信が確立すると、メモリ１６に格納されているレンズに関する情報を制御部２７に送信することができる。これにより、カメラ部本体２０の制御部２７は、交換式レンズ１０のズーム倍率、焦点距離、明るさナンバー等を認識することができる。なお、本実施の形態においては交換式レンズ１０に限らず種々の交換式レンズ或いは交換できない固定式のレンズを採用してもよい。
【００１４】
交換式レンズ１０からの被写体光学像は、シャッタ２２を介して撮像素子２３に入射される。撮像素子２３は、ＣＣＤやＣＭＯＳセンサ等によって構成され、制御部２７に制御されて、入射光を光電変換して画像信号をアナログ処理部２４に出力する。アナログ処理部２４は、入力された画像信号に対してノイズ除去や増幅処理等を行って、Ａ／Ｄ変換部２５に出力する。Ａ／Ｄ変換部２５は、入力された画像信号をデジタル信号に変換し、バス２６を介して作業用のＳＤＲＡＭ３０に与えて記憶させる。
【００１５】
制御部２７は、ＳＤＲＡＭ３０に記憶されている例えばＲＡＷデータ等の画像信号を読み出して、画像処理部３１に与える。画像処理部３１は、所定の信号処理、例えば、同時化処理、色信号生成処理、ホワイトバランス処理、γ変換処理、マトリックス変換処理、その他各種のデジタル処理を行って、処理後の画像信号をＳＤＲＡＭ３０に格納する。
【００１６】
ＡＥ処理部３２は、ＳＤＲＡＭ３０に記憶された画像を読み出して露出制御用のＡＥ評価値を算出して、ＡＥ信号を出力する。このＡＥ信号は制御部２７によって交換式レンズ１０のレンズ制御部１５に供給される。これにより、レンズ制御部１５は、絞り１３等を駆動して、露出制御を行う。
【００１７】
ＡＦ処理部３３は、ＳＤＲＡＭ３０に記憶された画像を読み出してフォーカス制御用のＡＦ評価値を算出して、ＡＦ信号を出力する。このＡＦ信号は制御部２７によって交換式レンズ１０のレンズ制御部１５に供給される。これにより、レンズ制御部１５は、レンズ１２等を駆動して、フォーカス制御を行う。
【００１８】
カメラ部本体２０には、画像圧縮伸張部３４が設けられている。画像圧縮伸張部３４は、制御部２７によってＳＤＲＡＭ３０に記憶されている画像信号が与えられて圧縮処理を行う。制御部２７は、圧縮後の画像信号をメモリＩ／Ｆ３６に与えて記録させることができる。メモリＩ／Ｆ３６は、入力された圧縮画像信号をメモリカード等の記録媒体３７に記録すると共に、記録媒体３７に記録されている画像信号を読み出す。画像圧縮伸張部３４はメモリＩ／Ｆ３６によって読み出された画像信号を伸張処理することができる。
【００１９】
また、カメラ部本体２０には表示制御部３８が設けられている。表示制御部３８は、制御部２７に制御されて表示パネル３９を駆動して、各種表示を行う。表示制御部３８は、ＳＤＲＡＭ３０に記憶されている画像処理後の画像信号を表示パネル３９に与えて、画像処理後の画像を表示パネル３９の表示画面上に表示させる。
【００２０】
なお、表示制御部３８は、ＳＤＲＡＭ３０に記憶されている撮像画像だけでなく、メモリＩ／Ｆ３６からの再生画像についても表示パネル３９に与えて、これらの画像を表示させることもできるようになっている。更に、表示制御部３８は、カメラ部本体２０に対する各種操作を行うためのメニュー表示等を表示パネル３９に表示させることもできるようになっている。表示パネル３９は、カメラ部本体２０の例えば背面に設けられており、撮影者は、撮影時に表示パネル３９の表示画面を視認可能になっている。表示パネル３９としては、ＬＣＤパネル等を採用可能である。
【００２１】
また、カメラ部本体２０には、操作部２８及びタッチパネル４０も配設されている。操作部２８は、カメラ部本体２０に設けられたシャッタボタン、撮影開始終了ボタンや撮影モード設定等の図示しない各種スイッチに対するユーザ操作に基づく操作信号を発生して、制御部２７に出力するようになっている。タッチパネル４０は、ユーザのタッチ操作に基づく操作信号を発生して、制御部２７に出力するようになっている。制御部２７は、操作信号に基づいて、各部を制御する。なお、制御部２７は、タイマー機能を有しており、各種時間を計測することができるようになっている。
【００２２】
なお、タッチパネル４０を表示パネル３９の表示画面上に配設することも可能である。タッチパネル４０は、ユーザが指で指し示した位置に応じた操作信号を発生する。タッチパネル４０を表示パネル３９の表示画面上に設けた場合には、ユーザは、表示パネル３９の表示画面上に表示された各種コマンドボタンを、タッチパネル４０により指示することができる。これにより、タッチパネル４０は表示パネル３９の表示画面上に表示された各種コマンドボタンに対応した操作信号を制御部２７に出力することができる。
【００２３】
また、カメラ部本体２０には、姿勢判定部４１も設けられている。姿勢判定部４１は、加速度センサ等によって構成することができ、重力方向を検出して、カメラ部本体２０の姿勢、傾斜角度等を検出する。即ち、姿勢判定部４１は、撮像素子２３の光軸に対する回転角度を検出可能であり、これらの検出結果を制御部２７に出力する。
【００２４】
本実施の形態においては、制御部２７は、各部を制御して、カメラ部本体２０の傾斜（光軸に対する回転）によって被写体がどのように傾斜して表示されるかを示すための画像（以下、被写体回転画像）を表示する被写体回転表示モードを設定することができるようになっている。被写体回転表示モードは、カメラ部本体２０の傾斜角度、即ち、光軸に対する回転角度（以下、本体傾斜角度という）に応じた角度で、撮像画像を回転させた画像（被写体回転画像）を表示パネル３９の表示画面上に表示するものである。
【００２５】
回転制御部４２は、制御部２７によって被写体回転表示モードが設定されると、ＳＤＲＡＭ３０に格納されている撮像画像を、本体傾斜角度に応じた角度で回転させて被写体回転画像を生成し、表示制御部３８に与えて表示パネル３９に表示させるようになっている。
【００２６】
図２は被写体回転表示モードにおける被写体回転画像を説明するための説明図である。また、図３は被写体回転画像の回転角度を説明するための説明図である。
【００２７】
図２は様々な構図において例えばタワー等の縦長の被写体５１を撮像した場合に、表示パネル３９の表示画面３９ａに表示される画像を示している。図２の左の一列は、スルー画又はレックビューの表示を示しており、図２の中央及び右側の列は、被写体回転画像を示している。
【００２８】
図２の左最上部は、横構図撮影の状態を示しており、表示パネル３９の表示画面３９ａ上に、タワー等の被写体５１が撮像されて表示されていることを示している。表示画面３９ａは、水平方向に長く垂直方向に短い画面、例えば、アスペクト比が４：３や１６：９の画面であり、被写体５１が上辺及び下辺の近傍に達している。また、図２の左最下部は、縦構図撮影の状態を示しており、表示画面３９ａ上に、被写体５１が横構図撮影時と同一のズーム倍率で撮像されて表示されていることを示している。縦構図撮影の場合には、被写体５１の上下には表示の余裕が若干ある。
【００２９】
また、図２の左列の中央の４つの表示は、斜め３０度、斜め４５度、斜め４５度、斜め６０度の斜め構図における表示を示している。これらの斜め構図では、横構図撮影時又は縦構図撮影時よりも、被写体５１の上下には更に大きな表示スペースの余裕が生じている。従って、斜め構図を利用すると、横構図又は縦構図撮影時よりも、更に高いタワー等の被写体を撮影範囲に収めることが可能である。
【００３０】
しかし、斜め構図撮影による画像は、コンピュータ等によって取り込んでディスプレイ上に表示すると、一般的には、コンピュータが横構図又は縦構図で画像を表示するので、ディスプレイ上では被写体が傾斜して表示されることになる。
【００３１】
そこで、本実施の形態においては、このような場合にどの様な表示になるかを、表示パネル３９の表示画面３９ａ上において被写体回転画像によって示すことができるようになっている。図２の中央は、上から斜め３０度、４５度、４５度、６０度の斜め構図に対応した被写体回転画像５２ｐ〜５２ｒ（以下、代表して被写体回転画像５２ともいう）を示している。回転制御部４２は、撮像画像をアスペクト比を維持しながら回転させると共に、表示画面３９ａに内接するように縮小して被写体回転画像５２を得る。
【００３２】
なお、本体傾斜角度の変化に応じて被写体回転画像の回転角度（以下、被写体回転角度という）を同様に変化させた場合には、被写体回転角度が頻繁に変化して表示が安定しないことが考えられる。そこで、回転制御部４２は、本体傾斜角度を複数の範囲に分け、ある傾斜角度の範囲毎に被写体回転角度を変化させるようになっている。更に、回転制御部４２は、本体傾斜角度の範囲の境界において、被写体回転角度が頻繁に変化することを防止するために、本体傾斜角度の変化による被写体回転角度の変化にはヒステリシス特性を持たせるようになっている。
【００３３】
姿勢判定部４１によって求められた本体傾斜角度は、ＳＤＲＡＭ３０に記憶される。回転制御部４２は、ＳＤＲＡＭ３０から本体傾斜角度の情報を読み出して、本体傾斜角度及びその変化の方向に基づいて、被写体回転角度を決定するようになっている。
【００３４】
図３は回転制御部４２による被写体回転角度の決定方法を説明するためのものである。図３は横軸に横構図撮影の状態における本体傾斜角度を０度とし縦構図撮影の状態における本体傾斜角度９０度として、本体傾斜角度に応じた被写体回転角度を示している。
【００３５】
回転制御部４２は、本体傾斜角度が０度から２２．５度までの範囲の場合には、被写体回転角度を０度とする。即ち、この場合には、被写体回転画像５２は表示されず、スルー画又はレックビューがそのまま表示される。また、回転制御部４２は、本体傾斜角度が６７．５度から９０度までの範囲の場合には、被写体回転画像を表示せず、縦構図のままのスルー画又はレックビューを表示する。
【００３６】
図３に示すように、回転制御部４２は、カメラ部本体２０の回転方向を正、逆方向を負として、本体傾斜角度の角度範囲２２．５〜３７．５度の範囲では被写体回転角度は−ｐ度に、角度範囲３５〜５２．５度の範囲では被写体回転角度は−ｑ度に、角度範囲３７．５〜５５度の範囲では被写体回転角度は＋（９０−ｒ）度に、角度範囲５２．５〜６７．５度の範囲では被写体回転角度は＋（９０−ｓ）度に決定する。図３では、本体傾斜角度の角度範囲３５度〜３７．５度の範囲は、被写体回転角度−ｐ，−ｑの両方に割当て可能であるが、回転制御部４２は、一旦決定した被写体回転角度は、本体傾斜角度の角度範囲が対応する角度範囲を脱しない限り決定した被写体回転角度を維持する。
【００３７】
即ち、回転制御部４２は、被写体回転角度を−ｐ度に設定した場合には、本体傾斜角度が３７．５度を越さない限り被写体回転角度は−ｐ度のままとする。また、回転制御部４２は、本体傾斜角度が３７．５度を越えて被写体回転角度を一旦−ｑ度にすると、以後、本体傾斜角度が３５度以下にならなければ被写体回転角度を−ｐ度に変更せずに−ｑ度を維持する。このようなヒステリシス特性は、被写体回転角度の−ｑ度と（９０−ｒ）度との間、（９０−ｒ）度と（９０−ｓ）度との間にも設定されている。
【００３８】
回転制御部４２は、角度ｐ，ｑ，ｒ，ｓを、例えば、本体傾斜角度の各角度範囲内の角度に決定する。例えば、ｐ＝３０度、ｑ＝ｒ＝４５度、ｓ＝６０度である。
【００３９】
図２は図３に対応したものであり、本体傾斜角度がそれぞれ３０度、４５度、４５度、６０度の場合に、角度ｐ＝３０度，ｑ＝４５度，ｒ＝４５度，ｓ＝６０度で回転させた被写体回転画像５２ｐ〜５２ｓを示している。
【００４０】
なお、コンピュータ等においては、被写体の向きに応じて自動又は手動で横構図と縦構図とを切換えて表示するものがある。例えば、４５度を横構図と縦構図との切り換えの閾値であるものとすると、０〜４５度傾斜した画像は横構図として表示され、４５〜９０度傾斜した画像は縦構図として表示される場合がある。
【００４１】
回転制御部４２が図３の−ｐ度又は−ｑ度として設定する被写体回転角度は、ディスプレイ上に横構図で表示されることを考慮して、カメラ部本体２０の傾斜方向の逆方向に回転させる角度であり、図３の（９０−ｒ）度又は（９０−ｓ）度として設定する被写体回転角度は、ディスプレイ上に縦構図で表示されることを考慮して、カメラ部本体２０の傾斜方向と同一方向に回転させる角度である。
【００４２】
例えば、ユーザがカメラ部本体２０を時計方向に３３度傾斜させて被写体を撮像した場合には、回転制御部４２は、撮像画像を反時計方向にｐ＝３０度回転させた被写体回転画像５２ｐを生成することになる。また例えば、ユーザがカメラ部本体２０を時計方向に６５度傾斜させて被写体を撮像した場合には、回転制御部４２は、撮像画像を時計方向に（９０−ｓ（＝６０））＝３０度回転させた被写体回転画像５２ｓを生成することになる。
【００４３】
なお、角度ｐ，ｑ，ｒ，ｓは、予め固定値に設定してもよく、また、ユーザによって変更可能に構成してもよい。また、図２及び図３では、本体傾斜角度を３０度前後の範囲、４５度前御範囲及び６０度前後の範囲の３つに分ける例を示したが、分割範囲及び分割数は適宜設定可能であり、分割することなく本体傾斜角度に応じた被写体回転角度を逐次算出するようにしてもよい。
【００４４】
ところで、被写体回転画像５２は、表示画面３９ａに相似し表示画面３９ａに内接する四角形状である。このため、特に横長の表示画面の場合には、被写体回転画像５２は、小さくなって被写体を確認しづらくなることが考えられる。そこで、回転制御部４２は、被写体回転画像５２を拡大した画像（以下、拡大被写体回転画像という）を表示する場合もある。
【００４５】
図２の右列はこの拡大被写体回転画像５３ｐ，５３ｑ，５３ｒ，５３ｓ（以下、これらを代表して拡大被写体回転画像５３という）を示している。なお、図２中、表示画面３９ａからはみ出した拡大被写体回転画像５３の端部（斜線部）は実際には表示されない。
【００４６】
回転制御部４２は、例えば、ＡＦ処理部３３によって得られる撮像画像各部の距離情報や撮像画像各部のコントラストの変化の情報等に基づいて、撮像画像中の注目被写体と背景部分とを認識する。回転制御部４２は、注目被写体が表示画面３９ａからはみ出さないように被写体回転画像５２に対する拡大処理を行って、拡大被写体回転画像５３を生成するようになっている。
【００４７】
このように、被写体回転画像５２は、カメラ部本体２０を傾斜させた撮影を行った場合に得られる撮像画像をコンピュータ等によって表示させた場合の画像を示しており、ユーザは表示パネル３９の表示画面上においてこのような画像を確認することができる。同一画像の被写体であっても、傾きが異なる画像同士では受ける印象は異なる。従って、斜め構図の撮像画像をそのまま表示しても、コンピュータ等によって表示された画像によって受ける印象を推測することは困難である。ユーザは、被写体回転画像５２を参照することで、撮影した画像をコンピュータ等によって表示した場合の画像を、撮影時に評価することができる。
【００４８】
更に、拡大被写体回転画像５３は、注目被写体が十分なサイズで表示されるように、例えば表示画面一杯に注目被写体が表示されるように被写体回転画像５２を拡大したものであり、ユーザは表示画面の表示からコンピュータ等で表示される画像を簡単に確認することができる。
【００４９】
次に、このように構成された実施の形態の動作について図４及び図５を参照して説明する。図４は被写体回転表示モード中における設定を説明するための説明図であり、図５は実施の形態の動作を説明するためのフローチャートである。
【００５０】
回転制御部４２は、例えば、図４の設定に従って動作する。図４は撮影操作の時間経過を示している。カメラ部本体２０の電源が投入されて撮影モードが指定されると、制御部２７は撮像素子２３等を駆動して被写体を撮像させ、撮像画像を出力させる。これにより、スルー画がライブヴュー表示される。ユーザがシャッタボタン（操作部２８）を半押し（図４の１Ｒ（ファーストレリーズ）開始）するまでは、撮影待機中であり、制御部２７によって撮像画像は表示制御部３８に供給されて表示パネル３９上にライブビュー表示される。
【００５１】
ユーザがシャッタボタンを半押ししている期間（１Ｒ中）においては、ＡＥ処理部３２、ＡＦ処理部３３による自動露出、自動フォーカス処理が行われる。ユーザが、シャッタボタンを全押し（２Ｒ（セカンドレリーズ））すると、制御部２７は被写体の撮影を指示し、２Ｒタイミングにおける撮像画像を画像処理して記録する。制御部２７は記録した画像を読出して、表示パネル３９にレックビューとして表示させる。なお、制御部２７は、このレックビュー表示を所定の時間の経過後に終了させる。
【００５２】
本実施の形態においては、図４の撮影待機中、１Ｒ中、レックビュー表示中の３つの期間において、被写体回転画像を表示させる（有効）か否か（無効）を設定することができるようになっている。即ち、設定Ａは、撮影待機中における被写体回転画像（スルー画回転表示）、１Ｒ中における被写体回転画像（１Ｒ状態中回転表示）及びレックビュー表示中における被写体回転画像（レックビュー回転表示）のいずれも有効とする設定である。設定Ｂは、１Ｒ状態中回転表示及びレックビュー回転表示が有効であり、スルー画回転表示は無効とする設定である。また、設定Ｃは、レックビュー回転表示のみ有効であり、スルー画回転表示及び１Ｒ状態中回転表示は無効とする設定である。
【００５３】
回転制御部４２は、設定Ａ〜Ｃのいずれかが設定されるようになっている。なお、ユーザが設定Ａ〜Ｃを選択できるようにしてもよいし，他の設定を登録できるようにしてもよい。
【００５４】
制御部２７は、図５のステップＳ１において、被写体回転表示モードが設定されているか否かを判定する。回転制御部４２は、制御部２７に制御されて、被写体回転表示モードが設定されている場合には、ステップＳ２において本体傾斜角度の情報を取得する。回転制御部４２は、本体傾斜角度が、被写体回転画像を表示するか否かの判定の閾値を超えたか否かを判定する。図３の例では、回転制御部４２は、カメラ部本体２０を水平に構えた横構図の状態を０度として０〜２２．５度の範囲及び縦構図である９０度から６７．５度の範囲については、被写体回転画像を表示しない。この場合には、制御部２７は処理を終了して、横構図又は縦構図で得られた撮像画像がそのまま表示パネル３９に与えられて表示される。
【００５５】
なお、ステップＳ３における判定の閾値は、表示画面のアスペクト比やサイズに応じて変更可能に構成してもよい。
【００５６】
回転制御部４２は、例えば図３の例で、本体傾斜角度が２２．５〜６７．５の範囲でカメラ部本体２０が傾斜しているものと判定した場合には、次のステップＳ４においてスルー画回転表示が有効であるか否か、即ち、図４の設定Ａが設定されているか否かを判定する。また、回転制御部４２は、ステップＳ５において、１Ｒ状態中回転表示が有効であるか否か、即ち、図４の設定Ｂが設定されているか否かを判定する。
【００５７】
いま、設定Ｃが設定されているものとすると、回転制御部４２は、処理をステップＳ６に移行して、２Ｒ完了しているか否か、即ち、ユーザが撮影操作をしたか否かを判定する。設定Ｃの場合には、図５のフローが実行される度にステップＳ６の判定が行われることになり、撮影操作が行われると、制御部２７はステップ３１において撮影に関する処理を行った後、ステップＳ７に移行する。
【００５８】
ステップＳ７においては、回転制御部４２は、２Ｒ時点における本体傾斜角度の情報を取得する。回転制御部４２は、ステップＳ８において、レックビューとして表示する被写体回転画像を生成するための撮像画像の回転角度を求める。例えば、回転制御部４２は、図３に従って被写体回転角度を求める。回転制御部４２は、レックビュー画像を被写体回転角度だけ回転させて被写体回転画像５２を生成する。
【００５９】
また、回転制御部４２は、拡大被写体回転画像５３の表示が指示されている場合には、被写体回転画像５２の注目被写体及び背景を検出して、表示画面３９ａに被写体部分を表示するために必要な拡大又は縮小倍率を求める（ステップＳ９）。
【００６０】
回転制御部４２は、ステップＳ１０において、被写体回転画像５２又は拡大被写体回転画像５３を表示制御部３８に与えて、表示パネル３９の表示画面３９ａ上に表示させる。こうして、設定Ｃでは、レックビュー表示において、被写体回転画像（拡大被写体回転画像）が表示される。次に、制御部２７は、撮影された画像を圧縮処理した後、メモリＩ／Ｆ３６を介して記録媒体３７に与えて画像ファイルとして記録させる（ステップＳ３２）。
【００６１】
なお、ステップＳ３２の記録時には、ステップＳ７において取得した撮影時における本体部傾斜角度の情報を、画像ファイルのメタデータとして記録するようにしてもよい。
【００６２】
次に、設定Ｂが指定されているものとする。この場合には、処理はステップＳ５からステップＳ１６に移行する。回転制御部４２は、ステップＳ１６において、１Ｒ状態が継続しているか否かを判定する。半押し状態が継続していない場合には、処理はステップＳ２に戻される。
【００６３】
半押し状態が継続している場合には、回転制御部４２は、ステップＳ３３においてＡＥ，ＡＦ処理を行った後、現在の本体傾斜角度の情報を取得する（ステップＳ１７）。回転制御部４２は、ステップＳ１８において、ライブビューとして表示する被写体回転画像を生成するための撮像画像の回転角度を例えば図３に従って求める。回転制御部４２は、撮像画像を被写体回転角度だけ回転させて被写体回転画像５２を生成する。
【００６４】
また、回転制御部４２は、拡大被写体回転画像５３の表示が指示されている場合には、被写体回転画像５２の注目被写体及び背景を検出して、表示画面３９ａに被写体部分を表示するために必要な拡大又は縮小倍率を求める（ステップＳ１９）。回転制御部４２は、ステップＳ２０において、被写体回転画像５２又は拡大被写体回転画像５３を表示制御部３８に与えて、表示パネル３９の表示画面３９ａ上に表示させる。
【００６５】
回転制御部４２は、次のステップＳ２１において、２Ｒ完了しているか否か、即ち、ユーザが撮影操作をしたか否かを判定する。ユーザが撮影操作をしていない場合には、回転制御部４２はステップＳ２２において１Ｒが解除されたか否かを判定する。１Ｒが解除されていない場合には、回転制御部４２は、処理をステップＳ１７に戻して、被写体回転画像の表示を続ける。１Ｒが解除された場合には、回転制御部４２は、処理をステップＳ２に戻す。
【００６６】
なお、回転制御部４２は、ステップＳ２１においてユーザが撮影操作をしたものと判定した場合には、処理をステップＳ３１に移行して、撮影操作を行った後、レックビュー表示における被写体回転画像の表示を行う。こうして、設定Ｂでは、レックビュー表示時及び１Ｒ時のライブビュー表示時に、被写体回転画像（拡大被写体回転画像）が表示される。
【００６７】
次に、設定Ａが指定されているものとする。この場合には、処理はステップＳ４からステップＳ１１に移行する。回転制御部４２は、ステップＳ１１において、カメラ部本体２０が静止状態であるか否かを判定する。カメラ部本体２０が静止していない場相手には、ユーザの構図が決まっておらず被写体回転画像を表示させる必要がないので、処理はステップＳ１６を経由してステップＳ２に戻される。
【００６８】
カメラ部本体２０が静止状態になると、回転制御部４２は、ステップＳ１２において、現在の本体傾斜角度の情報を取得する。回転制御部４２は、ステップＳ１３において、ライブビューとして表示する被写体回転画像を生成するための撮像画像の回転角度を例えば図３に従って求める。回転制御部４２は、撮像画像を被写体回転角度だけ回転させて被写体回転画像５２を生成する。
【００６９】
また、回転制御部４２は、拡大被写体回転画像５３の表示が指示されている場合には、被写体回転画像５２の注目被写体及び背景を検出して、表示画面３９ａに被写体部分を表示するために必要な拡大又は縮小倍率を求める（ステップＳ１４）。回転制御部４２は、ステップＳ１５において、被写体回転画像５２又は拡大被写体回転画像５３を表示制御部３８に与えて、表示パネル３９の表示画面３９ａ上に表示させる。
【００７０】
回転制御部４２は、次のステップＳ１６において、１Ｒ状態か否かを判定する。撮影待機状態から１Ｒ状態に移行すると、処理をステップＳ３３に移行してＡＥ，ＡＦ処理を行った後、１Ｒ状態における本体傾斜角度の情報が求められる（ステップＳ１７）。１Ｒ状態に移行していない場合には、回転制御部４２は、処理をステップＳ２に戻す。従って、撮影待機状態の場合には、カメラ部本体２０が静止中の場合にのみ、被写体回転画像が表示される。こうして、設定Ａでは、レックビュー表示時、１Ｒ時のライブビュー表示時及び撮影待機状態における静止時に、被写体回転画像（拡大被写体回転画像）が表示される。
【００７１】
このように本実施の形態においては、斜め構図において撮影した場合にコンピュータ等によって撮像画像がどのように表示されるかを、実際の撮像画像を回転させることで得た被写体回転画像を表示画面上に表示させることで、確認可能にしている。撮影時において、コンピュータ等による表示を確認できるので、ユーザの希望に添った撮影が行われる可能性が高くなる。図２の表示から明らかなように、撮影時のスルー画（図２の左列）からコンピュータ等の表示（中央列の表示に相当）に対する印象を推測することは容易ではなく、このような被写体回転画像の表示は極めて有用である。しかも、コンピュータ等による画像が横構図又は縦構図で表示されることを考慮して、横構図用の表示と縦構図用の表示とを切換えており、コンピュータ等による画像を確実に確認することが可能である。また、斜め構図の傾斜角度の所定の範囲毎に画像の回転角度を変化させるようになっており、被写体回転画像が小刻みに回転して見にくくなることを防止している。また、被写体回転画像の角度の変化にはヒステリシス特性を持たせるようになっており、画像の小刻みな回転が防止されて一層見やすい画像が得られる。しかも、ライブビュー表示時、ファーストレリーズ時、レックビュー表示時において、被写体回転画像の表示の有効無効を設定することができ、ユーザの希望するタイミングで被写体回転画像を表示させることが可能である。
【００７２】
さらに、本発明の上記実施形態においては、撮影のための機器として、デジタルカメラを用いて説明したが、カメラとしては、レンズ型カメラでも、デジタル一眼レフカメラでもコンパクトデジタルカメラでもよく、ビデオカメラ、ムービーカメラのような動画用のカメラでもよく、さらに、携帯電話やスマートフォンなど携帯情報端末（ＰＤＡ：Personal Digital Assist）等に内蔵されるカメラでも勿論構わない。また、内視鏡、顕微鏡のような産業用、医療用の光学機器でもよく、監視カメラや車載用カメラ、据え置き型のカメラ、例えば、テレビジョン受信機やパーソナルコンピュータ等に取り付けられているカメラであってもよい。
【００７３】
本発明は、上記各実施形態にそのまま限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【００７４】
なお、特許請求の範囲、明細書、および図面中の動作フローに関して、便宜上「まず、」、「次に、」等を用いて説明したとしても、この順で実施することが必須であることを意味するものではない。また、これらの動作フローを構成する各ステップは、発明の本質に影響しない部分については、適宜省略も可能であることは言うまでもない。
【００７５】
また、ここで説明した技術のうち、主にフローチャートで説明した制御や機能は、多くがプログラムにより設定可能であり、そのプログラムをコンピュータが読み取り実行することで上述した制御や機能を実現することができる。そのプログラムは、コンピュータプログラム製品として、フレキシブルディスク、ＣＤ−ＲＯＭ等、不揮発性メモリ等の可搬媒体や、ハードディスク、揮発性メモリ等の記憶媒体に、その全体あるいは一部を記録又は記憶することができ、製品出荷時又は可搬媒体或いは通信回線を介して流通又は提供可能である。利用者は、通信ネットワークを介してそのプログラムをダウンロードしてコンピュータにインストールしたり、あるいは記録媒体からコンピュータにインストールすることで、容易に本実施の形態の撮影機器を実現することができる。
【符号の説明】
【００７６】
１０…交換式レンズ、１５…レンズ制御部、２０…カメラ部本体、２３…撮像素子、２７…制御部、２８…操作部、３０…ＳＤＲＡＭ、３１…画像処理部、３２…ＡＥ処理部、３３…ＡＦ処理部、３８…表示制御部、３９…表示パネル、４１…姿勢判定部、４２…回転制御部。
【図１】
2015204564.tif 000003
【図２】
2015204564.tif 000004
【図３】
2015204564.tif 000005
【図４】
2015204564.tif 000006
【図５】
2015204564.tif 000007